(57)【要約】【課題】焼却処分することのできる放射線遮蔽容器を提供する。【解決手段】容器本体2はテーパー状の形状を有している。容器本体2及び蓋4は公的機関の焼却場で焼却処分が可能なプラスチック材料で作られている。容器本体2は、例えば段ボールの筒状の仕切り8によって、その内側に放射能汚染廃棄物Dを収容する空間が形成されている。仕切り8と容器本体2との間には、シリコーンを主体とした遮蔽材料が充填されている。筒状の仕切り8の高さは容器本体2の高さよりも低い。【選択図】図2
0003185018.tif 000002
【実用新案登録請求の範囲】
【請求項１】
焼却処分可能なプラスチック製の容器本体と、
該容器本体の蓋であって、焼却処分可能なプラスチック製の蓋とで構成され、
前記容器本体は、その内部に、焼却処分可能な材料で構成された筒状の仕切りによって囲まれて放射能汚染廃棄物を収容する相対的に小径の第１空間と、該筒状の仕切りと前記容器本体との間の第２空間とが形成され、
前記第２空間に充填された焼却処分可能な遮蔽材料を更に有し、
前記容器本体が底に向けて先細りのテーパー形状を有し、
前記筒状の仕切りの上端の高さレベルが前記容器本体の高さレベルよりも低く、
前記容器本体の内部空間が、前記筒状の仕切りによって囲まれて前記放射能汚染廃棄物を収容する相対的に小径の前記第１空間と、その上方に位置する大径空間とで構成され、
相対的に上に位置する容器本体の底部を相対的に下に位置する容器本体の前記大径空間の中に入れた状態で、前記放射能汚染廃棄物を収容した複数の容器本体を積み上げることができることを特徴とする放射線遮蔽容器。
【請求項２】
焼却処分可能なプラスチック製の容器本体と、
該容器本体の蓋であって、焼却処分可能なプラスチック製の蓋とで構成され、
前記容器本体は、その内部に、焼却処分可能な材料で構成された第１の筒状の仕切りと、該第１の筒状の仕切りの外側に位置する第２の筒状の仕切りによって、前記第１の筒状の仕切りによって囲まれて放射能汚染廃棄物を収容する相対的に小径の第１空間と、前記第１の筒状の仕切りと前記第２の筒状の仕切りとで挟まれたリング状の第２空間と、前記第２の仕切りと前記容器本体との間の相対的に大径のリング状の第３空間とが形成され、
前記第２空間に充填された焼却処分可能な遮蔽材料を更に有し、
前記容器本体が底に向けて先細りのテーパー形状を有し、
前記第１、第２の筒状の仕切りの上端の高さレベルが前記容器本体の高さレベルよりも低く、
相対的に上に位置する容器本体の底部を、相対的に下に位置する容器本体の中に入れた状態で、前記放射能汚染廃棄物を収容した複数の容器本体を積み上げることができることを特徴とする放射線遮蔽容器。
【請求項３】
焼却処分可能なプラスチック製の容器本体と、
該容器本体の蓋であって、焼却処分可能なプラスチック製の蓋とで構成され、
前記容器本体は、その内部に、
放射能汚染廃棄物を収容する空間を形成するための焼却処分可能な材料で構成された筒状の仕切りと、
該筒状の仕切りの外側に位置する焼却処分可能な遮蔽材料とを有し、
前記容器本体の上端部がフランジによって段付き構造とされ、
相対的に上に位置する容器本体の底部を相対的に下に位置する容器本体のフランジに着座させた状態で、前記放射能汚染廃棄物を収容した複数の容器本体を積み上げることができることを特徴とする放射線遮蔽容器。
【請求項４】
前記容器本体が横断面円形である、請求項１〜３のいずれか一項に記載の放射線遮蔽容器。
【請求項５】
前記容器本体が横断面矩形である、請求項１〜３のいずれか一項に記載の放射線遮蔽容器。
【請求項６】
前記遮蔽材料が、シリコーンを主体とした材料である、請求項１〜５のいずれか一項に記載の放射線遮蔽容器。
【請求項７】
前記容器本体が、作業者が把持して前記放射線遮蔽容器を持ち運ぶことのできるハンドル又は取っ手を備えている、請求項１〜６のいずれか一項に記載の放射線遮蔽容器。
【考案の詳細な説明】
【技術分野】
【０００１】
本考案は、放射能汚染廃棄物を遮蔽した状態で収容することのできる放射線遮蔽容器に関し、特に除染作業に伴って発生した比較的高レベルの放射能汚染廃棄物を収容して搬送や一時保管するための放射線遮蔽容器に関する。
【背景技術】
【０００２】
２０１１年３月１１日に発生した東日本大震災によって引き起こされた福島原子力発電所事故から月日が経過し、広域に飛散した放射能核種を除去する除染作業が進行している。
【０００３】
除染作業の対象は森林、田畑、敷地、家屋、道路など様々である。除染は、広域に拡散した放射能核種を収集することであり、これに加えて、例えば汚染水であれば除染フィルタで放射能核種を吸着させる等の減容化作業を伴う。放射能核種を吸着した除染フィルタ、除染作業の際に使用した手袋や衣類などは二次汚染の問題を引き起こすことから何等かの対策が必要となっている。
【０００４】
このように除染などにより発生する放射能に汚染された廃棄物のうち比較的小さな廃棄物を安全に且つ効率的に運搬し且つ保管する容器が必要となっている。また、放射能汚染廃棄物を収容した容器それ自体も放射能汚染廃棄物となる。
【考案の概要】
【考案が解決しようとする課題】
【０００５】
本願考案者は、大量に蓄積する放射能汚染廃棄物の減容化にも限界があり、これが今現在以上に将来大きな問題になるとの認識の下で本考案を案出するに至ったものである。さらに、本願考案者は、除染作業に従事するなかで除染作業の現場で発生した放射能汚染廃棄物を遮蔽し且つ除染現場から運んで一時保管することのできる簡易な遮蔽容器の必要性を実感して本考案を案出するに至ったものである。
【０００６】
本考案の目的は、焼却処分することのできる放射線遮蔽容器を提供することにある。
【０００７】
本発明の更なる目的は、焼却処分することができ且つ人手で持ち運ぶことができ且つ積み重ねることのできる放射線遮蔽容器を提供することにある。
【課題を解決するための手段】
【０００８】
上記の技術的課題は、本考案の一つの観点によれば、
焼却処分可能なプラスチック製の容器本体と、
該容器本体の蓋であって、焼却処分可能なプラスチック製の蓋とで構成され、
前記容器本体は、その内部に、焼却処分可能な材料で構成された筒状の仕切りによって囲まれて放射能汚染廃棄物を収容する相対的に小径の第１空間と、該筒状の仕切りと前記容器本体との間の第２空間とを有し、
前記第２空間に充填された焼却処分可能な遮蔽材料を更に有し、
前記容器本体が底に向けて先細りのテーパー形状を有し、
前記筒状の仕切りの上端の高さレベルが前記容器本体の高さレベルよりも低く、
前記容器本体の内部空間が、前記筒状の仕切りによって囲まれて前記放射能汚染廃棄物を収容する相対的に小径の前記第１空間と、その上方に位置する大径空間とで構成され、
相対的に上に位置する容器本体の底部を相対的に下に位置する容器本体の前記大径空間の中に入れた状態で、前記放射能汚染廃棄物を収容した複数の容器本体を積み上げることができることを特徴とする放射線遮蔽容器を提供することによって達成される。
【０００９】
本考案の第２の観点によれば、上記の技術的課題は、
焼却処分可能なプラスチック製の容器本体と、
該容器本体の蓋であって、焼却処分可能なプラスチック製の蓋とで構成され、
前記容器本体は、その内部に、焼却処分可能な材料で構成された第１の筒状の仕切りと、該第１の筒状の仕切りの外側に位置する第２の筒状の仕切りによって、前記第１の筒状の仕切りによって囲まれて放射能汚染廃棄物を収容する相対的に小径の第１空間と、前記第１の筒状の仕切りと前記第２の筒状の仕切りとで挟まれたリング状の第２空間と、前記第２の筒状の仕切りと前記容器本体との間の相対的に大径のリング状の第３空間とを有し、
前記第２空間に充填された焼却処分可能な遮蔽材料を更に有し、
前記容器本体が底に向けて先細りのテーパー形状を有し、
前記第１、第２の筒状の仕切りの上端の高さレベルが前記容器本体の高さレベルよりも低く、
相対的に上に位置する容器本体の底部を相対的に下に位置する容器本体の中に入れた状態で、前記放射能汚染廃棄物を収容した複数の容器本体を積み上げることができることを特徴とする放射線遮蔽容器を提供することにより達成される。
【００１０】
本考案の第３の観点によれば、上記の技術的課題は、
焼却処分可能なプラスチック製の容器本体と、
該容器本体の蓋であって、焼却処分可能なプラスチック製の蓋とで構成され、
前記容器本体は、その内部に、
放射能汚染廃棄物を収容する空間を形成するための焼却処分可能な材料で構成された筒状の仕切りと、
該筒状の仕切りの外側に位置する焼却処分可能な遮蔽材料とを有し、
前記容器本体の上端部がフランジによって段付き構造とされ、
相対的に上に位置する容器本体の底部を相対的に下に位置する容器本体のフランジに着座させた状態で、前記放射能汚染廃棄物を収容した複数の容器本体を積み上げることができることを特徴とする放射線遮蔽容器を提供することにより達成される。
【図面の簡単な説明】
【００１１】
【図１】第１実施例の放射線遮蔽容器の斜視図であり、蓋を開けた状態を図示している。
【図２】第１実施例の放射線遮蔽容器の縦断面図である。
【図３】第１実施例の放射線遮蔽容器の容器本体を積み上げた状態を説明するための図である。
【図４】第１実施例の放射線遮蔽容器の容器本体の変形例を説明するための図である。
【図５】第２実施例の放射線遮蔽容器の斜視図である。
【図６】第２実施例の放射線遮蔽容器の縦断面図である。
【図７】第２実施例の放射線遮蔽容器の容器本体を積み上げた状態を説明するための図である。
【図８】第３実施例の放射線遮蔽容器の斜視図である。
【図９】第３実施例の放射線遮蔽容器の縦断面図である。
【図１０】第３実施例の放射線遮蔽容器の容器本体を積み上げた状態を説明するための図である。
【考案を実施するための形態】
【実施例】
【００１２】
以下に、添付の図面に基づいて本考案の好ましい実施例を説明する。
【００１３】
第１実施例（図１〜図４）：
図１〜図３は第１実施例の放射線遮蔽容器１００を示し、図４は変形例を示す。第１実施例の遮蔽容器１００は、断面円形の有底の容器本体２と、蓋４とを有している。容器本体２の断面形状は円形に限定されない。変形例として、図４に示すように矩形断面のような多角形の断面形状であってもよい。
【００１４】
容器本体２は底に向けて若干先細りのテーパー状の形状を有している。遮蔽容器１００はハンドル６を有し、ハンドル６を把持して持ち運べる程度の大きさを有している。勿論、ハンドル６に代えて取っ手を容器本体２に設けてもよい。
【００１５】
容器本体２及び蓋４はプラスチック材料で構成されている。ところで、廃棄プラスチックは、廃棄物の最終処分量を削減するとともに熱回収を図る目的で焼却処分する傾向にある。このことから、容器本体２及び蓋４の材料となるプラスチック材料は公的機関の焼却場で焼却処分が可能な材料から選択するのが望ましい。
【００１６】
容器本体２は、その内部に筒状の仕切り８を有し、筒状の仕切り８と容器本体２の内方側面との間に遮蔽材料１０が充填されている。筒状の仕切り８は容器本体２の軸線と極力同心に配置されるのが望ましい。
【００１７】
筒状の仕切り８は例えば段ボールであってもよいし、容器本体２と相似形の小型の容器で筒状の仕切り８を構成してもよい。この小型の容器は焼却処分可能なプラスチック材料で作られている。好ましくは、この小型の容器は、前述した容器本体２と同じプラスチック材料で作られているのがよい。
【００１８】
遮蔽材料１０は焼却処分が可能な材料で構成されるのがよく、福島原子力発電所事故以降に様々な会社が開発した例えばシリコーンを主体とした遮蔽材料で構成されるのがよい。この遮蔽材料１０は、筒状の仕切り８の上端まで充填される。
【００１９】
筒状の仕切り８の底は容器本体２の底で構成されているが、筒状の仕切り８の底に所定の厚さの追加の遮蔽材料１０adを敷き詰めてもよい（図２）。
【００２０】
図２を参照して、容器本体２の高さ寸法よりも筒状の仕切り８の高さ寸法が小さいことに注目して欲しい。すなわち、容器本体２の内部空間１２は、筒状の仕切り８によって直径の小さな下部小径空間１４と、その上方に位置する上部大径空間１６とで構成された上下２段の段付き空間である。
【００２１】
第１実施例の遮蔽容器１００の使い方として、容器本体２を単体で使用してその中に放射能汚染廃棄物Ｄを収容して蓋４をする又は上部大径空間１６に追加の遮蔽材料１０adを充填した後に蓋４をしてもよいが、典型的には、容器本体２の遮蔽材料１０で周囲が囲まれた下部小径空間１４に放射能汚染廃棄物Ｄを入れ、そして、これを積み上げることができる（図３）。最下位に位置する容器本体２（Ｂ）には、下部小径空間１４の底に追加の遮蔽材料１０adを敷き詰めてもよく、また、最上位に位置する容器本体２（Ｔ）にはその上部大径空間１６に追加の遮蔽材料１０adを充填してもよい。
【００２２】
変形例として、容器本体２及び蓋４を中空構造にし、中空構造の容器本体２及び蓋４の中に例えばシリコーンを主体とした遮蔽材料を充填するようにしてもよい。
【００２３】
第２実施例（図５〜図７）：
この第２実施例の放射線遮蔽容器２００は、上述した第１実施例と同様に、焼却処分可能なプラスチック材料からなる容器本体２２及び蓋２４を有している。この第２実施例の遮蔽容器２００は、上述した第１実施例よりも相対的に大型であるが、作業員が一人で持ち運ぶことができる。容器本体２２にハンドル又は取っ手を設けても良い。
【００２４】
容器本体２２の断面形状は第２実施例では断面円形であるが、これに限定されない。変形例として、第１実施例で図４を参照して変形例として説明したように、例えば矩形断面のような多角形の断面形状であってもよい。
【００２５】
図６を参照して、第２実施例の遮蔽容器２００は、その内部空間が、第１、第２の２つの筒状の仕切り２６、２８によって第１〜第３の半径方向に区分された３つの空間３０、３２、３４で構成されている。第１、第２の筒状の仕切り２６、２８は例えば段ボールで構成してもよいしプラスチック材料で構成してもよい。また、第１、第２の筒状の仕切り２６、２８は、そのいずれか一方又は双方を、大きさの異なる有底の容器で構成してもよい。この容器の材料も焼却処分可能なプラスチック材料で構成するのがよい。
【００２６】
内側に位置する第１の筒状の仕切り２６で囲まれた第１の空間つまり中央空間３０には放射能汚染廃棄物Ｄが収容される。第１の筒状の仕切り２６と、その外側に位置する第２の筒状の仕切り２８とで形成される第２の空間３２つまりリング状の中間空間には前述した遮蔽材料１０が充填される。第２の筒状の仕切り２８と容器本体２２とで形成されるリング状の第３の空間３４は予備空間であり、必要に応じて遮蔽材料１０を充填してもよいし、プラスチック製のクッション材を充填してもよい。
【００２７】
第１、第２の筒状の仕切り２６、２８は容器本体２２の高さ寸法よりも低い高さ寸法を有している。好ましくは第１、第２の筒状の仕切り２６、２８はその上端が同じ高さレベルとなるように設計するのが良いが、相対的に外側に位置する第２の仕切り２８の上端の高さレベルが、内側に位置する第１の筒状の仕切り２６の上端の高さレベルよりも若干高くてもよい。
【００２８】
この第２実施例の遮蔽容器２００は前述した第１実施例と同様に、底に向けて若干先細りのテーパー状の形状を有している。このことから第１実施例で説明したように、放射能汚染廃棄物Ｄを収容した容器本体２２を積み上げることができる（図７）。
【００２９】
変形例として、容器本体２２及び蓋２４を中空構造にし、中空構造の容器本体２２及び蓋２４の中に例えばシリコーンを主体とした遮蔽材料を充填するようにしてもよい。
【００３０】
第３実施例（図８〜図１０）：
第３実施例の放射線遮蔽容器３００は、上述した第１実施例と同様に、焼却処分可能なプラスチック材料からなる容器本体３２及び蓋３４を有している。この第３実施例の遮蔽容器３００は、容器本体３２にハンドル又は取っ手を設けても良い。
【００３１】
容器本体３２の断面形状は第３実施例では断面円形であるが、これに限定されない。変形例として、第１実施例で図４を参照して変形例として説明したように、例えば矩形断面のような多角形の断面形状であってもよい。
【００３２】
図８を参照して、第３実施例の遮蔽容器３００は、容器本体３２の上端部にフランジ３６を有し、この上端フランジ３６によって容器本体３２の上端部は段付き構造となっている、第３実施例の遮蔽容器３００を構成する容器本体３２は、典型的には、上端部から下端部までその円形断面の直径が同じであるが、第１、第２の実施例と同様に底に向けてテーパー状の形状を有していてもよい。
【００３３】
図示の例では、容器本体３２の内部構造は、前述した第１実施例と実質的に同じであるが、筒状の仕切り８の上端が上端フランジ３６とほぼ同じ高さ位置まで延びていてもよい。この筒状の仕切り８と容器本体３２との間に前述した焼却可能な遮蔽材料１０が充填されている。
【００３４】
容器本体３２及び蓋３４は第１、第２実施例と同様にプラスチック材料で構成されている。また、筒状の仕切り８は第１実施例と同様に、例えば段ボールで構成されているが、焼却処分可能なプラスチック材料であってもよいし、小型のプラスチック容器で筒状の仕切り８を構成してもよい。勿論、この第３実施例において上述した第２実施例と同じ内部構造を採用してもよい。
【００３５】
第３実施例のおいても、筒状の仕切り８で囲まれた空間１４には放射能汚染廃棄物Ｄが収容される。容器本体３２の上端部にフランジ３６を有していることから、このフランジ３６を使って上下に積み上げることができる（図１０）。すなわち、相対的に上に位置する容器本体３２の底の外周縁部が、相対的に下に位置する容器本体３２のフランジ３６に着座した状態で複数の容器本体３２を積み上げることができる。
【００３６】
変形例として、容器本体３２及び蓋３４を中空構造にし、中空構造の容器本体３２及び蓋３４の中に例えばシリコーンを主体とした焼却処分可能な遮蔽材料を充填するようにしてもよい。
【００３７】
第１〜第３の実施例によれば、遮蔽容器１００、２００、３００の中に放射能汚染廃棄物Ｄを収容することで、この廃棄物Ｄから出る放射線が外部に飛散するのを低減することができる。したがって、除染作業で発生した放射能汚染廃棄物Ｄを遮蔽容器１００、２００、３００に入れて現場から一時保管場所まで搬送する際の作業員の安全性を高めることができる。また、一時保管場所では、図３、図７、図１０に図示するように、遮蔽容器１００、２００、３００を積み上げることができるため一時保管場所に沢山の遮蔽容器１００、２００、３００を収容することができる。また、遮蔽容器１００、２００、３００が不要になったときや破損したときに、これを焼却処分することができる。
【符号の説明】
【００３８】
１００  第１実施例の放射線遮蔽容器
２    容器本体
４    蓋
８    筒状の仕切り
１０    遮蔽材料
１４    下部小径空間（廃棄物収容空間）
１６    上部大径空間
２００  第２実施例の放射線遮蔽容器
２２  容器本体
２４  蓋
２６  第１の仕切り（内側）
２８  第２の仕切り（外側）
３０  第１の空間（廃棄物収容空間）
３２  第２の空間（中間空間）
３４  第３の空間（外側空間）
３００  第３実施例の放射線遮蔽容器
３２  容器本体
３４  蓋
３６  上端フランジ
【図１】
0003185018.tif 000003
【図２】
0003185018.tif 000004
【図３】
0003185018.tif 000005
【図４】
0003185018.tif 000006
【図５】
0003185018.tif 000007
【図６】
0003185018.tif 000008
【図７】
0003185018.tif 000009
【図８】
0003185018.tif 000010
【図９】
0003185018.tif 000011
【図１０】
0003185018.tif 000012